(57)【要約】【課題】    本発明は、袋と生ごみを簡易に分別することができる袋に収納した生ごみの分別方法を提供することを目的としている。【解決手段】    袋に収納した生ごみの分別方法は、袋22に生ごみ21を収納した被処理物２と水とを受け入れる槽３と、この槽３内に設けられ、槽３内の被処理物２と水とを攪拌すると共に、袋22を破砕する回転体32と、槽３よりあふれ出る水を受け入れる受入部６と、槽３内へ水を供給する水供給管７とを備え、水供給管７より槽３に水を供給して槽３内の第１の水位で回転体32を回転することにより、槽３内の被処理物２と水とを攪拌すると共に、回転体32で袋22を破砕し、その後、水供給管７より水を供給して、槽３内の水が前記第１の水位を越えて槽３より水があふれ出るようにして、受入部６へ破砕した袋22を槽３よりあふれ出る水により導いて、被処理物２から袋22を分離させるものである。【選択図】図２
2005095771.tif 000002
【特許請求の範囲】
【請求項１】
袋に生ごみを収納した被処理物と水とを受け入れる槽と、
この槽内に設けられ、前記槽内の前記被処理物と水とを攪拌すると共に、前記袋を破砕する回転体と、
前記槽よりあふれ出る水を受け入れる受入部と、
前記槽内へ水を供給する水供給管とを備え、
前記水供給管より前記槽に水を供給して前記槽内の第１の水位で前記回転体を回転することにより、前記槽内の前記被処理物と水とを攪拌すると共に、前記回転体で前記袋を破砕し、その後、前記水供給管より水を供給して、前記槽内の水が前記第１の水位を越えて前記槽より水があふれ出るようにして、前記受入部へ破砕した前記袋を前記槽よりあふれ出る水により導いて、前記被処理物から前記袋を分離させる
ことを特徴とする袋に収納した生ごみの分別方法。
【請求項２】
槽内の第１の水位での回転体の回転速度は、前記槽内の水が前記第１の水位を越えて前記槽より水があふれ出る時の前記回転体の回転速度より高速である
ことを特徴とする請求項１記載の袋に収納した生ごみの分別方法。
【請求項３】
袋に生ごみを収納した被処理物と水とを受け入れると共に、ストレ−ナ−を有する槽と、
前記ストレ−ナ−に対向するように前記槽内に設けられ、前記槽内の前記被処理物と水とを攪拌すると共に、前記袋を破砕する回転体と、
前記ストレ−ナ−を通過した前記生ごみを含む水を前記槽の外へ導く第１の通路と、    前記槽よりあふれ出る水を受け入れる受入部と、
前記槽内へ水を供給する水供給管とを備え、
前記第１の通路を閉とし、前記水供給管より前記槽に水を供給して前記槽内の第１の水位で前記回転体を回転することにより、前記槽内の前記被処理物と水とを攪拌すると共に、前記回転体で前記袋を破砕し、その後、前記第１の通路を開として、前記第１の通路より前記ストレ−ナ−を通過した前記生ごみを含む水を前記槽の外へ導き、その後、前記第１の通路を閉とし、前記水供給管より前記槽に水を供給して、前記槽内の水が前記第１の水位を越えて前記槽より水があふれ出るようにして、前記受入部へ破砕した前記袋を前記槽よりあふれ出る水により導いて、前記被処理物から前記袋を分離させる
ことを特徴とする袋に収納した生ごみの分別方法。
【請求項４】
袋に生ごみを収納した被処理物と水とを受け入れる槽と、
この槽内に設けられ、前記槽内の前記被処理物と水とを攪拌すると共に、前記袋を破砕する回転体と、
前記槽よりあふれ出る水を受け入れる受入部と、
前記槽内へ水を供給する水供給管と、
この水供給管の通路を開閉する水供給管開閉弁と、                                  この水供給管開閉弁を開として前記槽に前記水供給管より水を供給して前記槽内の水位が第１の水位に達すると、前記水供給管開閉弁を閉じると共に前記回転体を動作させ、前記回転体の動作の一定時間後、前記水供給管開閉弁を開として前記槽に前記水供給管より水を供給して前記槽より水があふれ出るように、前記水供給管開閉弁、前記回転体を制御する制御装置と
を備えていることを特徴とする袋に収納した生ごみの分別装置。
【請求項５】
袋に生ごみを収納した被処理物と水とを受け入れると共に、ストレ−ナ−を有する槽と、
前記ストレ−ナ−に対向するように前記槽内に設けられ、前記槽内の前記被処理物と水とを攪拌すると共に、前記袋を破砕する回転体と、
前記ストレ−ナ−を通過した前記生ごみを含む水を前記槽の外へ導く第１の通路と、    この第１の通路を開閉する第１の通路開閉弁と、
前記槽よりあふれ出る水を受け入れる受入部と、
前記槽内へ水を供給する水供給管と、
この水供給管の通路を開閉する水供給管開閉弁と、                                  前記第１の通路開閉弁を閉、前記水供給管開閉弁を開として前記槽に前記水供給管より水を供給して前記槽内の水位が第１の水位に達すると、前記水供給管開閉弁を閉じると共に前記回転体を動作させ、前記回転体の動作の一定時間後、前記第１の通路開閉弁を開、前記水供給管開閉弁を開とすると共に前記回転体を動作させ、前記第１の通路開閉弁の開動作の一定時間後、前記第１の通路開閉弁を閉、前記水供給管開閉弁を開とすると共に前記回転体を動作させ、前記槽に前記水供給管より水を供給して前記槽より水があふれ出るように、前記第１の通路開閉弁、前記水供給管開閉弁、前記回転体を制御する制御装置とを備えている
ことを特徴とする袋に収納した生ごみの分別装置。
【発明の詳細な説明】
【技術分野】
【０００１】
本発明は、袋に収納した生ごみの分別装置及び袋に収納した生ごみの分別方法に係り、特に、袋と生ごみを簡易に分別することができる袋に収納した生ごみの分別装置及び袋に収納した生ごみの分別方法に関する。
【背景技術】
【０００２】
袋に生ごみを収納した被処理物、例えば、ビニ−ル袋内に賞味期限が切れた食品を入れた生ごみは、水と共に槽に受け入れられ、該槽内に設けられた回転体により袋を破砕し、袋と生ごみを分別するようにして処理されている（例えば、特許文献１参照）。
【特許文献１】特開昭５５−５７４９公報（第２図参照）。
【発明の開示】
【発明が解決しようとする課題】
【０００３】
しかしながら、袋に生ごみを収納した被処理物は袋の中の空気により浮上するため、回転体を高速に回転させて、被処理物を巻き込んで、被処理物が回転体に接触するようにさせると共に、袋をある程度細かく粉砕するため、生ごみ中に粉砕された袋の小片が混入してしまう。
粉砕された袋の小片が一旦、生ごみ中に混入すると、分離が困難で、生ごみの再利用を図る上で不具合が生じていた。
本発明は、上述した不具合を考慮してなされたもので、袋が細かく粉砕する前に、袋と生ごみを分別するようにした袋に収納した生ごみの分別装置及び袋に収納した生ごみの分別方法を提供するものである。
【課題を解決するための手段】
【０００４】
上記目的を達成するために、請求項１記載の袋に収納した生ごみの分別方法は、袋に生ごみを収納した被処理物と水とを受け入れる槽と、この槽内に設けられ、前記槽内の前記被処理物と水とを攪拌すると共に、前記袋を破砕する回転体と、前記槽よりあふれ出る水を受け入れる受入部と、前記槽内へ水を供給する水供給管とを備え、前記水供給管より前記槽に水を供給して前記槽内の第１の水位で前記回転体を回転することにより、前記槽内の前記被処理物と水とを攪拌すると共に、前記回転体で前記袋を破砕し、その後、前記水供給管より水を供給して、前記槽内の水が前記第１の水位を越えて前記槽より水があふれ出るようにして、前記受入部へ破砕した前記袋を前記槽よりあふれ出る水により導いて、前記被処理物から前記袋を分離させる。
【０００５】
また、請求項２記載の袋に収納した生ごみの分別方法は、請求項１記載の袋に収納した生ごみの分別方法において、槽内の第１の水位での回転体の回転速度は、前記槽内の水が前記第１の水位を越えて前記槽より水があふれ出る時の前記回転体の回転速度より高速である。
【０００６】
また、請求項３記載の袋に収納した生ごみの分別方法は、袋に生ごみを収納した被処理物と水とを受け入れると共に、ストレ−ナ−を有する槽と、前記ストレ−ナ−に対向するように前記槽内に設けられ、前記槽内の前記被処理物と水とを攪拌すると共に、前記袋を破砕する回転体と、前記ストレ−ナ−を通過した前記生ごみを含む水を前記槽の外へ導く第１の通路と、前記槽よりあふれ出る水を受け入れる受入部と、前記槽内へ水を供給する水供給管とを備え、前記第１の通路を閉とし、前記水供給管より前記槽に水を供給して前記槽内の第１の水位で前記回転体を回転することにより、前記槽内の前記被処理物と水とを攪拌すると共に、前記回転体で前記袋を破砕し、その後、前記第１の通路を開として、前記第１の通路より前記ストレ−ナ−を通過した前記生ごみを含む水を前記槽の外へ導き、その後、前記第１の通路を閉とし、前記水供給管より前記槽に水を供給して、前記槽内の水が前記第１の水位を越えて前記槽より水があふれ出るようにして、前記受入部へ破砕した前記袋を前記槽よりあふれ出る水により導いて、前記被処理物から前記袋を分離させる。
【０００７】
また、請求項４記載の袋に収納した生ごみの分別装置は、袋に生ごみを収納した被処理物と水とを受け入れる槽と、この槽内に設けられ、前記槽内の前記被処理物と水とを攪拌すると共に、前記袋を破砕する回転体と、前記槽よりあふれ出る水を受け入れる受入部と、前記槽内へ水を供給する水供給管と、この水供給管の通路を開閉する水供給管開閉弁と、この水供給管開閉弁を開として前記槽に前記水供給管より水を供給して前記槽内の水位が第１の水位に達すると、前記水供給管開閉弁を閉じると共に前記回転体を動作させ、前記回転体の動作の一定時間後、前記水供給管開閉弁を開として前記槽に前記水供給管より水を供給して前記槽より水があふれ出るように、前記水供給管開閉弁、前記回転体を制御する制御装置とを備えている。
【０００８】
また、請求項５記載の袋に収納した生ごみの分別装置は、袋に生ごみを収納した被処理物と水とを受け入れると共に、ストレ−ナ−を有する槽と、前記ストレ−ナ−に対向するように前記槽内に設けられ、前記槽内の前記被処理物と水とを攪拌すると共に、前記袋を破砕する回転体と、前記ストレ−ナ−を通過した前記生ごみを含む水を前記槽の外へ導く第１の通路と、この第１の通路を開閉する第１の通路開閉弁と、前記槽よりあふれ出る水を受け入れる受入部と、前記槽内へ水を供給する水供給管と、この水供給管の通路を開閉する水供給管開閉弁と、前記第１の通路開閉弁を閉、前記水供給管開閉弁を開として前記槽に前記水供給管より水を供給して前記槽内の水位が第１の水位に達すると、前記水供給管開閉弁を閉じると共に前記回転体を動作させ、前記回転体の動作の一定時間後、前記第１の通路開閉弁を開、前記水供給管開閉弁を開とすると共に前記回転体を動作させ、前記第１の通路開閉弁の開動作の一定時間後、前記第１の通路開閉弁を閉、前記水供給管開閉弁を開とすると共に前記回転体を動作させ、前記槽に前記水供給管より水を供給して前記槽より水があふれ出るように、前記第１の
【発明の効果】
【０００９】
請求項１記載の袋に収納した生ごみの分別方法によれば、水供給管より槽に水を供給して槽内の第１の水位で回転体を回転させることにより、槽内の被処理物と水とを攪拌すると共に、被処理物を収納した袋を回転体により破砕し、その後、水供給管より水を供給して槽より水があふれ出るようにするため、比重が軽い袋が浮上すると共に槽よりあふれ出る水により浮上した袋が受入部へと導かれ、従来のように、袋を細かく粉砕しなくても、袋と生ごみを分別することができ、分別される生ごみ中に粉砕された袋の小片の混入を防ぐことができる。
【００１０】
また、請求項２記載の袋に収納した生ごみの分別方法によれば、前述した請求項１記載の発明の効果に加え、槽内の第１の水位での回転体の回転速度は、前記槽内の水が前記第１の水位を越えて前記槽より水があふれ出る時の前記回転体の回転速度より高速であるため、被処理物を巻き込んで、被処理物が回転体に接触し、袋が破砕し易いと共に、逆に、槽より水があふれ出る時の回転体の回転速度は、第１の水位での回転体の回転速度より低速となるため、比重が軽い袋が浮上し易く、分離を容易にすることができる。
【００１１】
また、請求項３記載の袋に収納した生ごみの分別方法によれば、第１の通路を閉とし、水供給管より槽に水を供給して槽内の第１の水位で回転体を回転させることにより、槽内の被処理物と水とを攪拌すると共に、被処理物を収納した袋を回転体により破砕し、その後、第１の通路を開として、第１の通路よりストレ−ナ−を通過した生ごみを含む水を槽の外へ導き、その後、第１の通路を閉として、水供給管より水を供給して槽より水があふれ出るようにするため、生ごみが槽内より除去されている分、比重が軽い袋がより浮上し易いと共に槽よりあふれ出る水により浮上した袋が受入部へと導かれ、従来のように、袋を細かく粉砕しなくても、袋と生ごみを分別することができ、分別される生ごみ中に粉砕された袋の小片の混入を防ぐことができる。
【００１２】
また、請求項４記載の袋に収納した生ごみの分別装置によれば、制御装置により水供給管開閉弁を開として、水を供給して槽内の水位が第１の水位に達すると、水供給管開閉弁を閉じると共に回転体を動作させ、第１の水位で回転体を回転させることにより、槽内の被処理物と水とを攪拌すると共に、被処理物を収納した袋を回転体により破砕し、制御装置により回転体の動作の一定時間後、水供給管開閉弁を開として槽に水供給管より水を供給して前記槽より水があふれ出るようにするため、比重が軽い袋が浮上すると共に槽よりあふれ出る水により浮上した袋が受入部へと導かれ、従来のように、袋を細かく粉砕しなくても、袋と生ごみを分別することができ、分別される生ごみ中に粉砕された袋の小片の混入を防ぐことができる。
【００１３】
また、請求項５記載の袋に収納した生ごみの分別装置によれば、制御装置により第１の通路開閉弁を閉、水供給管開閉弁を開として、水を供給して槽内の水位が第１の水位に達すると、水供給管開閉弁を閉じると共に回転体を動作させ、第１の水位で回転体を回転させることにより、槽内の被処理物と水とを攪拌すると共に、被処理物を収納した袋を回転体により破砕し、制御装置により回転体の動作の一定時間後、第１の通路開閉弁を開、水供給管開閉弁を開として、第１の通路よりストレ−ナ−を通過した生ごみを含む水を槽の外へ導き、前記第１の通路開閉弁の開動作の一定時間後、前記第１の通路開閉弁を閉、前記水供給管開閉弁を開とすると共に前記回転体を動作させ、槽に水供給管より水を供給して前記槽より水があふれ出るようにするため、生ごみが槽内より除去されている分、比重が軽い袋がより浮上し易いと共に槽よりあふれ出る水により浮上した袋が受入部へと導かれ、従来のように、袋を細かく粉砕しなくても、袋と生ごみを分別することができ、分別される生ごみ中に粉砕された袋の小片の混入を防ぐことができる。
【実施例】
【００１４】
本発明の一実施例の袋に収納した生ごみの分別装置及び袋に収納した生ごみの分別方法を図面を参照して説明する。
図１において、１は袋に収納した生ごみの分別装置で、袋に収納した生ごみの分別装置１は、袋に生ごみを収納した被処理物２と水とを受け入れると共に、ストレ−ナ−31を有する槽３を有する。
この槽３には、ストレ−ナ−31に対向するように、回転体32が設けられている。この回転体32は、槽３内の被処理物２と水とを攪拌すると共に、被処理物２の袋を破砕する機能を有する。
なお、ストレ−ナ−31、回転体32を有する槽３は、例えば、パルプ、古紙を水中で離解するパルパを転用して使用することができる。
【００１５】
また、袋21に生ごみ22を収納した被処理物２は、例えば、ビニ−ル袋内に賞味期限が切れた食品を入れた生ごみである。この被処理物２はコンベヤＣにより搬送され、コンベヤＣの端部の下方に槽３が位置して、コンベヤＣの端部より槽３内に投下されるようになっている。
【００１６】
４は、ストレ−ナ−31を通過した生ごみを含む水を槽３の外へ導く第１の通路で、５はストレ−ナ−31を通過しない被処理物２中の重量異物を含む水を槽３の外へ導く第２の通路である。また、６は、槽３よりあふれ出る水を受け入れる受入部で、７は槽３内へ水を供給する水供給管である。
【００１７】
第１の通路４は、一端を槽３に接続し、他端を第１の槽11内に臨むように設けられている。第１の通路４には、第１の通路４の通路を開閉する第１の通路開閉弁41、第１の通路４の水を第１の槽11に圧送するポンプ42が設けられている。
第１の槽11においては、第１のスクリ−ン12により、ストレ−ナ−31を通過した生ごみ21を含む水から生ごみを分別するものである。
即ち、第１のスクリ−ン12を通過した水は、第２の槽13へと導かれる。第１のスクリ−ン12を通過しない生ごみ21を含む水は、第３の槽14へと導かれる。
【００１８】
水供給管７は、一端を第２の槽13に接続し、他端を槽３内に臨むように設けられている。水供給管７には、水供給管７の通路を開閉する水供給管開閉弁71、水供給管７の水を槽３に圧送するポンプ72が設けられている。
【００１９】
上述した受入部６は底部を槽３の上端より低い位置に設けられ、槽３の外周に配置されている。
受入部６は、図２に示すように、槽３よりあふれ出る水により浮上した袋22を受け入れる部位で、受入部６で受け入れられた袋22を含む水は、受入部６に設けられた排水通路61を介して分離部８へと導かれる。
分離部８は、例えば、回転ドラム81の周囲に開口部81ａを多数設けたもので、排水通路61を介して分離部８へと導かれた袋22を含む水は、開口部81ａより袋22と水とに分離され、開口部81ａを通過できない袋22は回転ドラム81の開口端81ｂよりタンク９へ、開口部81ａを通過した水は、第４の槽15へと導かれる。
第４の槽15へと導かれと導かれた水は、水供給管７’により槽３に導かれるようになっている。水供給管７’は、一端を第４の槽15に接続し、他端を槽３内に臨むように設けられている。水供給管７’には、水供給管７’の通路を開閉する水供給管開閉弁71’、水供給管７’の水を槽３に圧送するポンプ72’が設けられている。なお、場合により、水供給管７’、水供給管開閉弁71’、ポンプ72’は省略しても良い。
【００２０】
従って、水供給管５より槽３に水を供給して、例えば、槽３内の図１に示される第１の水位になるように、後述する制御装置100 内のタイマ−［タイマ−の他、フロ−トスイッチ（図示せず）で水供給管開閉弁71を開閉制御しても良い。］により制御し、回転体32を回転させる。
回転体32を回転させると、槽３内の被処理物２と水とは攪拌されると共に、生ごみ21を収納した袋22は回転体32に接触して破砕し、その後、水供給管５より水を供給して槽３より水があふれ出るようにする。そのため、比重が軽い袋22が浮上すると共に槽３よりあふれ出る水により浮上した袋22が受入部６へと導かれ、従来のように、袋を細かく粉砕しなくても、袋と生ごみを分別することができ、分別される生ごみ中に粉砕された袋の小片の混入を防ぐことができる。
なお、その際、槽３内の第１の水位での回転体32の回転速度は、槽３内の水が前記第１の水位を越えて槽３より水があふれ出る時の回転体32の回転速度より高速になるようにすれば、被処理物２を巻き込んで、被処理物２が回転体32により接触し、袋22が破砕し易いと共に、逆に、槽３より水があふれ出る時の回転体32の回転速度は、第１の水位での回転体32の回転速度より低速となるため、比重が軽い袋22が浮上し易く、分離を容易にすることができる。
【００２１】
なお、上述の実施例においては、槽３より水があふれ出る前に、第１の通路４の通路を開としなかったが、第１の通路４の通路を開としても良い。
即ち、第１の通路４及び第２の通路５を閉とし、水供給管７より槽３に水を供給して槽３内の第１の水位（例えば、図１に示されるような水位で、例えば、槽３の満水時の１／２）で回転体32を回転することにより、槽３内の被処理物２と水とを攪拌すると共に、回転体32で袋22を破砕し（破砕工程）、その後、第１の通路４を開、第２の通路５を閉として、回転体32を回転することにより、ストレ−ナ−31の目洗い作用を行いながら、第１の通路４よりストレ−ナ−31を通過した生ごみ21を含む水を槽３の外へ導き（抜取り工程）、その後、第１の通路４及び第２の通路５を閉とし、水供給管７より槽３に水を供給して、槽３内の水が前記第１の水位を越えて槽３より水があふれ出るようにして（オ−バ−フロ−工程）、受入部６へ破砕した袋22を槽３よりあふれ出る水により導いて、被処理物２から袋22を分離させるようにしても良い。
【００２２】
即ち、上述した破砕工程においては、槽３内の水位を下げた第１の水位（例えば、槽３の満水時の１／２の低水位）で、回転体32の回転（回転速度Ｒ1 ）を上げ、槽３内に渦流を形成して、被処理物２を渦流に巻き込んで、回転体32に接触させて袋22を破砕する。    次の抜取り工程においては、第２の水位（例えば、槽３の満水時の１／２〜３／４の中水位）で、回転体32の回転（回転速度Ｒ1 より低速である回転速度Ｒ2 ）に下げてストレ−ナ−31の目洗い作用を行い、破砕された袋22から生ごみ21をストレ−ナ−31、第１の通路４を介して第１の槽11へ導き、槽３から生ごみ21を抜き取っていく。                  次のオ−バ−フロ−工程においては、水供給管７より槽３に水を供給して、槽３内の水が前記第１の水位を越えて槽３より水があふれ出るようにし、（回転速度Ｒ2 より低速である回転速度Ｒ3 ）に下げる。前述の抜取り工程において、槽３から生ごみ21が抜き取られ、破砕された袋22は比重が軽いと共に、オ−バ−フロ−工程の回転体32の回転速度Ｒ3 は抜取り工程時の回転速度Ｒ2 より小さいので、上方に浮上し易く、残留した破砕され    なお、ストレ−ナ−31を通過できず、槽３に溜った石、金属等の重量異物は、槽３の底部に設けられた第２の通路５の開閉弁51を適宜開いて、ジャンクボックス（沈降室）へ導くことができる。
【００２３】
従って、第１の通路４及び第２の通路５を閉とし、水供給管７より槽３に水を供給して槽３内の第１の水位で回転体32を回転させることにより、槽３内の被処理物２と水とを攪拌すると共に、被処理物２を収納した袋を回転体32により破砕し、その後、第１の通路４を開、第２の通路５を閉として、第１の通路４よりストレ−ナ−31を通過した生ごみを含む水を槽３の外へ導き、その後、水供給管７より水を供給して槽３より水があふれ出るようにするため、生ごみが槽３内より除去されている分、比重が軽い袋がより浮上し易いと共に槽３よりあふれ出る水により浮上した袋22が受入部６へと導かれ、従来のように、袋を細かく粉砕しなくても、袋と生ごみを分別することができ、分別される生ごみ中に粉砕された袋の小片の混入を防ぐことができる。
第１の通路開閉弁41の開閉、ポンプ42、水供給管開閉弁71の開閉、ポンプ72、回転体32の回転の制御は、制御装置100 により行う。
即ち、制御装置100 により第１の通路開閉弁41を閉、水供給管開閉弁71を開として、ポンプ42をオフ、ポンプ72をオンさせて水を供給して槽３内の水位がタイマ−等により第１の水位に達すると、水供給管開閉弁71を閉じると共に回転体32を動作させ、第１の水位で回転体32を回転させることにより、槽３内の被処理物２と水とを攪拌すると共に、被処理物２を収納した袋22を回転体32により破砕する。
そして、制御装置100 により回転体32の動作の一定時間（Ｔ1 ）後、第１の通路開閉弁41を開、水供給管開閉弁71を開、ポンプ42をオン、ポンプ72をオンさせて、第１の通路開閉弁41の開動作の一定時間（Ｔ2 ）後、第１の通路開閉弁41を閉、水供給管開閉弁71を開、ポンプ42をオフ、ポンプ72をオンさせて、槽３に水供給管７より水を供給して槽３より水があふれ出るようにする。そのため、生ごみ21が槽３内より除去されている分、比重が軽い袋22がより浮上し易いと共に槽３よりあふれ出る水により浮上した袋22が受入部６へと導かれ、従来のように、袋を細かく粉砕しなくても、袋と生ごみを分別することができ、分別される生ごみ中に粉砕された袋の小片の混入を防ぐことができる。
【図面の簡単な説明】
【００２４】
【図１】図１は、本発明の一実施例の袋に収納した生ごみの分別装置の概略的図である。
【図２】図２は、図１の槽内に水を供給して槽より水があふれ出るようにした状態の概略的図である。
【符号の説明】
【００２５】
２  ・・・・・被処理物
３  ・・・・・槽
６  ・・・・・受入部
７  ・・・・・水供給管
21  ・・・・・生ごみ
22  ・・・・・袋
【図１】
2005095771.tif 000003
【図２】
2005095771.tif 000004